(57)【要約】  本開示の一態様によれば、コロナ処理システム等の制御された内部環境を有するシステムに、システム内へのウェブの高速移動から生じるような同伴空気が入ることを最小限に抑えるエアフォイル装置が提供される。本開示の別の態様によれば、エアフォイル装置は、エアフォイル装置をウェブの変化に合わせて調整することができるように、システムに対して回転可能である。【選択図】図４
2020504789.tif 000002
【特許請求の範囲】
【請求項１】
制御された内部環境を有するシステムであって、内部チャンバーを画定するキャビネットと、該キャビネットに取り付けられるとともに、材料ウェブが通過することができるニップを形成する上側ニップローラー及び下側ニップローラーとを備える、システムと、
エアフォイルアセンブリであって、該エアフォイルアセンブリは、前記キャビネットから片持ちされる上側エアフォイルを備え、該上側エアフォイルは、第１の壁及び第２の壁を備え、前記第１の壁は、後端部と、前端部と、上面と、下面とを有し、前記第１の壁の前記後端部は、前記前端部が前記キャビネットから離間するように、前記上側ニップローラーに近接して前記キャビネットに取り付けられ、前記第２の壁は、頂端部と、前面と、後面とを有し、前記第２の壁は、前記第１の壁の前記上面から上方に、前記第１の壁に対して或る角度で延在し、該エアフォイルアセンブリはまた、前記キャビネットから片持ちされる下側エアフォイルを備え、該下側エアフォイルは、第１の壁及び第２の壁を備え、前記下側エアフォイルの前記第１の壁は、後端部と、前端部と、上面と、下面とを有し、前記下側エアフォイルの前記第１の壁の前記後端部は、前記下側エアフォイルの前記前端部が前記キャビネットから離間するように前記下側ニップローラーに近接して前記キャビネットに取り付けられ、前記下側エアフォイルの前記第２の壁は、頂端部と、前面と、後面とを有し、前記下側エアフォイルの前記第２の壁は、前記下側エアフォイルの前記第１の壁の前記下面から下方に、前記下側エアフォイルの前記第１の壁に対して或る角度で延在する、エアフォイルアセンブリと、
を備える、アセンブリ。
【請求項２】
前記上側エアフォイルは、前記キャビネットに回転可能に取り付けられ、それにより、前記上側エアフォイルの前端部は、前記下側エアフォイルの前記前端部に対して近付く又は離れるように動かすことができる、請求項１に記載のアセンブリ。
【請求項３】
前記下側エアフォイルは、前記キャビネットに回転可能に取り付けられ、それにより、前記下側エアフォイルの前端部は、前記上側エアフォイルの前記前端部に対して近付く又は離れるように動かすことができる、請求項１に記載のアセンブリ。
【請求項４】
前記上側エアフォイル及び前記下側エアフォイルは、前記キャビネットに回転可能に取り付けられ、それにより、前記エアフォイルの前端部は、互いに対して近付く又は離れるように動かすことができる、請求項１に記載のアセンブリ。
【請求項５】
前記上側エアフォイルの前記第１の壁は、前記上側エアフォイルの前記第２の壁に対して９０度に角度を付けられている、請求項１に記載のアセンブリ。
【請求項６】
前記下側エアフォイルの前記第１の壁は、前記下側エアフォイルの前記第２の壁に対して９０度に角度を付けられている、請求項１に記載のアセンブリ。
【請求項７】
前記上側エアフォイルの前記第１の壁は、前記上側エアフォイルの前記第２の壁に対して９０度の角度で傾斜し、前記下側エアフォイルの前記第１の壁は、前記下側エアフォイルの前記第２の壁に対して９０度に角度を付けられている、請求項１に記載のアセンブリ。
【請求項８】
前記上側エアフォイルは、前記キャビネットに回転可能に取り付けられるロッドによって前記キャビネットに取り付けられる、請求項１に記載のアセンブリ。
【請求項９】
前記アセンブリは、前記ロッドに取り付けられるノブを更に備え、該ノブの回転により、前記上側エアフォイルが回転する、請求項８に記載のアセンブリ。
【請求項１０】
前記アセンブリは、前記上側エアフォイルに取り付けられるモーターを更に備え、該モーターは、前記上側エアフォイルを回転させるように構成される、請求項８に記載のアセンブリ。
【請求項１１】
前記下側エアフォイルは、前記キャビネットに回転可能に取り付けられるロッドによって前記キャビネットに取り付けられる、請求項１に記載のアセンブリ。
【請求項１２】
前記アセンブリは、前記ロッドに取り付けられるノブを更に備え、該ノブの回転により、前記上側エアフォイルが回転する、請求項１１に記載のアセンブリ。
【請求項１３】
前記アセンブリは、前記上側エアフォイルに取り付けられるモーターを更に備え、該モーターは、前記上側エアフォイルを回転させるように構成される、請求項１１に記載のアセンブリ。
【請求項１４】
前記上側エアフォイルは、前記キャビネットに回転可能に取り付けられるロッドによって前記キャビネットに取り付けられ、前記下側エアフォイルは、前記キャビネットに回転可能に取り付けられるロッドによって前記キャビネットに取り付けられる、請求項１に記載のアセンブリ。
【請求項１５】
前記アセンブリは、前記ロッドに取り付けられるノブを更に備え、該ノブの回転により、前記上側エアフォイルが回転する、請求項１４に記載のアセンブリ。
【請求項１６】
前記アセンブリは、前記上側エアフォイルに取り付けられるモーターを更に備え、該モーターは、前記上側エアフォイルを回転させるように構成される、請求項１４に記載のアセンブリ。
【請求項１７】
前記アセンブリは、前記上側エアフォイルに取り付けられるスペーサー部材を更に備え、該スペーサー部材は、後端部と、前端部と、上面と、下面と、該スペーサー部材に取り付けられるロッドとを有し、該ロッドは、前記上側エアフォイル及び前記スペーサー部材を回転させるように、前記キャビネットに対して回転可能であり、前記スペーサー部材の表面と前記上側エアフォイルの表面とは重なり合い、前記上側エアフォイル及び前記スペーサー部材のうちの一方には、複数の細長いスロットが貫通し、各スロットは、或る長さを有し、前記上側エアフォイル及び前記スペーサー部材のうちの他方には、複数の締結具が取り付けられ、該それぞれの締結具は、それぞれのスロットに取り付けられ、前記締結具は、前記スロットの前記長さに沿って動くことで、前記上側エアフォイルを前記スペーサー部材に対して動かすように構成される、請求項１に記載のアセンブリ。
【請求項１８】
前記アセンブリは、前記下側エアフォイルに取り付けられるスペーサー部材を更に備え、該スペーサー部材は、後端部と、前端部と、上面と、下面と、該スペーサー部材に取り付けられるロッドとを有し、該ロッドは、前記下側エアフォイル及び前記スペーサー部材を回転させるように、前記キャビネットに対して回転可能であり、前記スペーサー部材の表面と前記下側エアフォイルの表面とは重なり合い、前記下側エアフォイル及び前記スペーサー部材のうちの一方には、複数の細長いスロットが貫通し、各スロットは、或る長さを有し、前記下側エアフォイル及び前記スペーサー部材のうちの他方には、複数の締結具が取り付けられ、該それぞれの締結具は、それぞれのスロットに取り付けられ、前記締結具は、前記スロットの前記長さに沿って動くことで、前記下側エアフォイルを前記スペーサー部材に対して動かすように構成される、請求項１に記載のアセンブリ。
【請求項１９】
前記アセンブリは、前記上側エアフォイルに取り付けられる上側スペーサー部材を更に備え、該上側スペーサー部材は、後端部と、前端部と、上面と、下面と、該上側スペーサー部材に取り付けられる上側ロッドとを有し、該上側ロッドは、前記上側エアフォイル及び前記上側スペーサー部材を回転させるように、前記キャビネットに対して回転可能であり、前記上側スペーサー部材の表面と前記上側エアフォイルの表面とは重なり合い、前記上側エアフォイル及び前記上側スペーサー部材のうちの一方には、複数の細長いスロットが貫通し、各スロットは、或る長さを有し、前記上側エアフォイル及び前記上側スペーサー部材のうちの他方には、複数の締結具が取り付けられ、該それぞれの締結具は、それぞれのスロットに取り付けられ、前記締結具は、前記スロットの前記長さに沿って動くことで、前記上側エアフォイルを前記上側スペーサー部材に対して動かすように構成され、前記アセンブリはまた、前記下側エアフォイルに取り付けられる下側スペーサー部材を更に備え、該下側スペーサー部材は、後端部と、前端部と、上面と、下面と、該下側スペーサー部材に取り付けられる下側ロッドとを有し、該下側ロッドは、前記下側エアフォイル及び前記下側スペーサー部材を回転させるように、前記キャビネットに対して回転可能であり、前記下側スペーサー部材の表面と前記下側エアフォイルの表面とは重なり合い、前記下側エアフォイル及び前記下側スペーサー部材のうちの一方には、複数の細長いスロットが貫通し、前記下側エアフォイル及び前記下側スペーサー部材のうちの前記一方における各スロットは、或る長さを有し、前記下側エアフォイル及び前記下側スペーサー部材のうちの他方には、複数の締結具が取り付けられ、前記下側エアフォイル及び前記下側スペーサー部材のうちの前記一方における前記それぞれの締結具は、それぞれのスロットに取り付けられ、前記下側エアフォイル及び前記下側スペーサー部材のうちの前記一方における前記締結具は、前記下側エアフォイル及び前記下側スペーサー部材のうちの前記一方における前記スロットの前記長さに沿って動くことで、前記下側エアフォイルを前記下側スペーサー部材に対して動かすように構成される、請求項１に記載のアセンブリ。
【発明の詳細な説明】
【技術分野】
【０００１】
本発明は、包括的には、コロナ処理システム等の制御された内部環境を有するシステムに、システム内へのウェブの高速移動から生じるような同伴空気が入ることを最小限に抑えるエアフォイル装置に関する。
【背景技術】
【０００２】
コロナ処理とは、コロナ放電を用いてウェブの表面を改質することで、インク及び接着剤を受け付ける能力を向上させる方法である。コロナ処理システムにおいて、高圧電極が、接地電極を形成する接地ローラーに対して平行かつ離間して設けられる。電極と接地ローラーとの間の空隙にエネルギーを与えると、コロナが形成され、このコロナは、ウェブが通過する際に、ウェブを形成している材料を改質し、ウェブのインク及び接着剤に対する受容性を高める。コロナは、空気が存在するこの空隙内のいずれの場所にも発生する。
【０００３】
ウェブは、高速で移動する。ウェブがコロナ処理システムに入る際、ウェブは、一対のニップローラーを通過し、また、一対の補助ニップローラーを通過する場合もある。ウェブは、アイドラーローラーの周りの経路を辿り、次いで、電極と接地ローラーとの間の空隙を通る。ウェブが処理された後、ウェブは、コロナ処理システムを出る。
【０００４】
コロナ処理システム内の空気は、空隙内でのより良好な反応をもたらすために、不活性状態に保たれることが望ましい。ウェブが高速で移動する場合、ウェブは、周囲雰囲気中の空気を同伴し、ニップローラーを通ってコロナ処理システムに入る。空気は、コロナ処理システム内に充満する傾向を有し、それにより、コロナ処理システム内で望ましくない反応をもたらし得る。
【発明の概要】
【０００５】
１つの態様において、コロナ処理システム等の制御された内部環境を有するシステムに、システム内へのウェブの高速移動から生じるような同伴空気が入ることを最小限に抑えるエアフォイル装置が提供される。
【０００６】
本開示の別の態様によれば、エアフォイル装置は、エアフォイル装置をウェブの変化に合わせて調整することができるように、システムに対して回転可能である。
【０００７】
本発明の範囲は、添付の特許請求の範囲によってのみ規定され、この概要内の記載によって影響を受けない。
【０００８】
本発明は、添付図面及び以下の記載を参照してよりよく理解することができる。図における構成要素は、必ずしも縮尺どおりではなく、本発明の原理を説明するために、代わって誇張されている。
【図面の簡単な説明】
【０００９】
【図１】システムのカバーが開放位置で示されている、制御された内部環境を有するシステム及び本開示の特徴を組み込んでいるエアフォイル装置の斜視図である。
【図２】システムのカバーが閉鎖位置で示されている、システム及びエアフォイル装置の拡大斜視図である。
【図３】一例のシステムの動作コンポーネントのうちのいくつかの斜視図である。
【図４】システムのカバーが閉鎖位置で示され、エアフォイル装置が第１の向きで示されている、システム及びエアフォイル装置の部分側面図である。
【図４Ａ】図４の線４Ａ−４Ａに沿った断面図を示す図である。
【図４Ｂ】図４の線４Ｂ−４Ｂに沿った断面図である。
【図５】システムのカバーが閉鎖位置で示され、エアフォイル装置が第２の向きで示されている、システム及びエアフォイル装置の部分側面図である。
【図６】エアフォイル装置の上側エアフォイルの上面図である。
【図７】上側エアフォイルの底面図である。
【図８】上側エアフォイルの側面図である。
【図９】図６の線９−９に沿った断面図である。
【図１０】エアフォイル装置の下側エアフォイルの上面図である。
【図１１】下側エアフォイルの底面図である。
【図１２】下側エアフォイルの側面図である。
【図１３】図１０の線１３−１３に沿った断面図である。
【図１４】システム及び改変されたエアフォイル装置の拡大斜視図である。
【発明を実施するための形態】
【００１０】
本発明は様々な形態の実施形態に適用可能とすることができるが、具体的な実施形態が図面に示されているとともに、本明細書において詳細に記載される。ここでは、本開示は、本発明の原理の例示とみなされるべきであり、本発明を本明細書に説明及び記載されるものに限定することは意図していないことが理解される。したがって、別段記載されない限り、本明細書に開示の特徴は、簡略化のため別段示されていない更なる組合せを形成するために組み合わせることができる。
【００１１】
コロナ処理システム等の制御された内部環境を有するシステム２４内への可撓性ウェブ２２の高速移動から生じる、同伴された周囲空気の進入を最小限に抑えるエアフォイル装置２０が提供される。エアフォイル装置２０は、システム２４内へのウェブ２２の高速移動によって形成される同伴空気の空気流を乱し、同伴空気がシステム２４内に入らないように逸らす又は実質的に逸らす。
【００１２】
ウェブ２２は、上面２２ａと、下面２２ｂと、対向する側縁部２２ｃ、２２ｄとを有する。ウェブ２２の厚さは、上面２２ａと下面２２ｂとの間に規定される。システム２４によって処理することができるウェブ２２の例として、限定はしないが、紙、ポリマーフィルム、エラストマー、プラスチック、発泡材等が挙げられる。
【００１３】
システム２４は、可動式カバー３０が取り付けられたベースキャビネット２８によって形成されるキャビネット２６を備える。
【００１４】
ベースキャビネット２６は、第１の側壁３４と、第１の側壁３４に対して平行な関係の第２の側壁３６と、前壁３８と、前壁３８に対して平行な関係の後壁４０とを備える。前壁３８及び後壁４０は、側壁３４、３６間に延在し、底壁４０が、壁３４、３６、３８、４０の底端部を閉鎖している。内部キャビティ４２がベースキャビネット２６内に画定される。キャビティ４２の頂端部は開放している。
【００１５】
ベースキャビネット２６は、側壁３４、３６間のシャフト（図示せず）上で回転するように取り付けられ、前壁３６の上方に配置された下側ニップローラー４４を支持する。一対の補助ニップローラー（図示せず）が、側壁３４、３６間の頂端部において設けられる場合がある。一対の補助ニップローラーは、下側ニップローラー４４から離間される。
【００１６】
カバー３０は、第１の側壁６４と、第１の側壁６４に対して平行な関係の第２の側壁６６と、前壁６８と、前壁６８に対して平行な関係の後壁７０とを備える。前壁６８及び後壁７０は、側壁６４、６６間に延在し、頂壁７２は、壁６４、６６、６８、７０の上端部を閉鎖している。カバー３０は、当該技術分野では既知の好適なリフト装置７４を介してベースキャビネット２６に取り付けられ、カバー３０をベースキャビネット２６に対して昇降させ、キャビティ４２を露出又は被覆することができるようになっている。カバー３０は、側壁６４、６６間のシャフト７７上で回転するように取り付けられ、前壁６８の下に配置された上側ニップローラー７６を支持する。
【００１７】
カバー３０が開放しているとき、下側ニップローラー４４及び上側ニップローラー７６は、互いに分離しており、キャビティ４２は開放している。カバー３０が閉鎖しているとき、ニップローラー４４、７６は、互いに密接し、それにより、ニップローラー４４、７６間にニップ７５が形成される。ウェブ２２がシステム２４に入る際、ウェブ２２は、ニップ７５を通過する。内部雰囲気を有する制御された内部環境チャンバー７９は、カバー３０が閉鎖されるとキャビネット２６内において不活性化することができる。内部環境チャンバー７９内の空気は、ウェブ２２の処理特性を向上するために不活性状態に保たれる。
【００１８】
エアフォイル装置２０は、ベースキャビネット２８における上側マウント１８０に取り付けられる上側エアフォイル７８と、ベースキャビネット２８における下側マウント１８０に取り付けられる下側エアフォイル１７８とを備える。上側エアフォイル７８及び下側エアフォイル１７８は、ベースキャビネット２８から片持ちされている。カバー３０が閉鎖されると、上側エアフォイル７８は、上側ニップローラー７６の近位に位置する。下側エアフォイル１７８は、下側ニップローラー４４の近位に位置する。使用時、エアフォイル７８、１７８の前端部８６ａ、１８６ａは、互いに近接するが、ウェブ２２が間を通過するための通路を形成するように僅かに離間する。通路は、ウェブ２２の厚さよりも僅かに大きい。一実施形態において、上側エアフォイル７８及び下側エアフォイル１７８のうちの少なくとも一方が、本明細書に記載のベースキャビネット２８に対して回転可能である。一実施形態において、上側マウント８０及び上側エアフォイル７８は、カバー３０に設けられ、カバー３０とともに可動である。
【００１９】
図６〜図９に示されているように、上側エアフォイル７８は、第１の壁８６と、平坦な第２の壁８８と、第３の壁９０とを備える。壁８６、８８、９０は、一体的に形成することができる。
【００２０】
第１の壁８６は、前端部８６ａと、後端部８６ｂと、前端部８６ａと後端部８６ｂとの間に延在する第１の側縁部８６ｃと、前端部８６ａと後端部８６ｂとの間に延在する第２の側縁部８６ｄと、上面８６ｅと、下面８６ｆとを有する。一実施形態において、側縁部８６ｃ、８６ｄは、互いに平行である。上面８６ｅは、平坦である。前端部８６ａは、テーパーを付けることができる（図示せず）。
【００２１】
第２の壁８８は、前端部８８ａと、後端部８８ｂと、前端部８８ａと後端部８８ｂとの間に延在する第１の側縁部８８ｃと、前端部８８ａと後端部８８ｂとの間に延在する第２の側縁部８８ｄと、上面８８ｅと、下面８８ｆとを有する。一実施形態において、側縁部８８ｃ、８８ｄは、互いに平行である。上面８８ｅ及び下面８８ｆは、平坦である。第２の壁８８の前端部８８ａは、第１の壁８６の後端部８６ｂから延在する。一実施形態において、第２の壁８８は、第１の壁８６に対して下方に角度αで傾斜している。図８を参照されたい。また、一実施形態において、角度αは、９０度〜１８０度の範囲である。一実施形態において、角度αは、１３０度である。一実施形態において、角度αは、１８０度であり、第１の壁８６及び第２の壁８８が連続した直線的な表面を形成するようになっている。
【００２２】
第３の壁９０は、底端部９０ａと、頂端部９０ｂと、底端部９０ａと頂端部９０ｂとの間に延在する第１の側縁部９０ｃと、底端部９０ａと頂端部９０ｂとの間に延在する第２の側縁部９０ｄと、前面９０ｅと、後面９０ｆとを有する。一実施形態において、側縁部９０ｃ、９０ｄは、互いに平行である。一実施形態において、前面９０ｅは、平坦である。第３の壁９０の底端部９０ａは、第２の壁８８の頂面８８ｅから延在する。一実施形態において、第３の壁９０は、第２の壁８８の後端部８８ｂの近位に位置する。第３の壁９０は、第２の壁８８に対して角度βで傾斜している。図８を参照されたい。また、一実施形態において、角度βは、９０度〜１８０度の範囲である。一実施形態において、角度βは、９０度であり、そのため、第３の壁９０は、第２の壁８８に対して垂直になる。
【００２３】
第１の壁８６及び第３の壁９０は、第２の壁８８から互いに反対方向に延在する。
【００２４】
図１０〜図１３に示されているように、下側エアフォイル１７８は、第１の壁１８６と、平坦な第２の壁１８８と、第３の壁１９０とを備える。壁１８６、１８８、１９０は、一体的に形成することができる。
【００２５】
第１の壁１８６は、前端部１８６ａと、後端部１８６ｂと、前端部１８６ａと後端部１８６ｂとの間に延在する第１の側縁部１８６ｃと、前端部１８６ａと後端部１８６ｂとの間に延在する第２の側縁部１８６ｄと、上面１８６ｅと、下面１８６ｆとを有する。一実施形態において、側縁部１８６ｃ、１８６ｄは、互いに平行である。下面１８６ｆは、平坦である。前端部１８６ａは、テーパーを付けることができる（図示せず）。
【００２６】
第２の壁１８８は、前端部１８８ａと、後端部１８８ｂと、前端部１８８ａと後端部１８８ｂとの間に延在する第１の側縁部１８８ｃと、前端部１８８ａと後端部１８８ｂとの間に延在する第２の側縁部１８８ｄと、上面１８８ｅと、下面１８８ｆとを有する。一実施形態において、側縁部１８８ｃ、１８８ｄは、互いに平行である。上面１８８ｅ及び下面１８８ｆは、平坦である。第２の壁１８８の前端部１８８ａは、第１の壁１８６の後端部１８６ｂから延在する。第２の壁１８８は、第１の壁１８６に対して上方に角度γで傾斜している。図１２を参照されたい。また、一実施形態において、角度γは、９０度〜１８０度の範囲である。一実施形態において、角度γは、１３０度である。一実施形態において、角度γは、１８０度であり、第１の壁８６及び第２の壁８８が連続した直線的な表面を形成するようになっている。
【００２７】
第３の壁１９０は、底端部１９０ａと、頂端部１９０ｂと、底端部１９０ａと頂端部１９０ｂとの間に延在する第１の側縁部１９０ｃと、底端部１９０ａと頂端部１９０ｂとの間に延在する第２の側縁部１９０ｄと、前面１９０ｅと、後面１９０ｆとを有する。一実施形態において、側縁部１９０ｃ、１９０ｄは、互いに平行である。一実施形態において、前面１９０ｅは、平坦である。第３の壁１９０の頂端部１９０ｂは、第２の壁１８８の底面１８８ｄから延在する。一実施形態において、第３の壁１９０は、第２の壁１８８の後端部１８８ｂの近位に位置する。第３の壁１９０は、第２の壁１８８に対して角度Φで傾斜している。図１２を参照されたい。また、一実施形態において、角度Φは、９０度〜１８０度の範囲である。一実施形態において、角度Φは、９０度であり、そのため、第３の壁１９０は、第２の壁１８８に対して垂直になる。
【００２８】
第１の壁１８６及び第３の壁１９０は、第２の壁１８８から互いに反対方向に延在する。
【００２９】
一実施形態において、マウント８０、１８０は、ベースキャビネット２８に対するエアフォイル７８、１７８の回転可能な取付けをもたらす。この実施形態では、上側マウント８０は、ベースキャビネット２８に固定的に取り付けられた一対の離間した支持体９２ａ、９２ｂと、支持体９２ａ、９２ｂに回転可能に取り付けられた円筒形ロッド９４と、ロッド９４及び上側エアフォイル７８に固定的に取り付けられたスペーサー部材９６とを備える。下側マウント１８０は、ベースキャビネット２８に固定的に取り付けられた一対の離間した支持体１９２ａ、１９２ｂと、支持体１９２ａ、１９２ｂに回転可能に取り付けられた円筒形ロッド１９４と、ロッド１９４及び下側エアフォイル１７８に固定的に取り付けられたスペーサー部材１９６とを備える。上側支持体９２ａ、９２ｂは、ベースキャビネット２６の前壁２８において、下側支持体１９２ａ、１９２ｂと鉛直方向に位置合わせすることができる。一実施形態において、カバー３０が閉鎖されると、上側ロッド９４は、上側ニップローラー７６の近位に位置する。一実施形態において、カバー３０が閉鎖されると、上側ロッド９４は、上側ニップローラー７６の上方に位置する。一実施形態において、下側ロッド１９４は、下側ニップローラー４４の近位に位置する。一実施形態において、下側ロッド１９４は、下側ニップローラー４４の下方に位置する。ロッド９４、１９４は、キャビネット２６の前壁２８に対して平行に延在する。
【００３０】
図４Ａに示されているように、各支持体９２ａ、９２ｂは、ロッド９４が貫通する第１の通路１００が内部に延在する、本体９８によって形成される。第２の通路１０２が本体９８内に設けられ、第１の通路１００に交わる。一実施形態において、通路１０２は、通路１００に対して垂直である。
【００３１】
一実施形態において、ロッド９４上にはノブ１０４が設けられており、ノブ１０４を操作者が把持して、ロッド９４を支持体９２ａ、９２ｂに対して回転させることができる。一実施形態において、ノブ１０４は、ロッド９４の少なくとも一端部に設けられる。
【００３２】
止めねじ等の締結具１１８が、各支持体９２ａ、９２ｂの第２の通路１０２内に螺合する。締結具１１８の端部１１８ａは、締結具１１８の端部１１８ａがロッド９４に当接することにより、ロッド９４が支持体９２ａ、９２ｂに対して回転することを防ぐような第１の位置に配置することができ、また、締結具１１８の端部１１８ａがロッド９４から離間することにより、ロッド９４が支持体９２ａ、９２ｂに対して回転することができるような第２の位置に配置することができる。
【００３３】
図６〜図９に示されているように、スペーサー部材９６は、前端部９６ａと、後端部９６ｂと、前端部９６ａと後端部９６ｂとの間に延在する第１の側縁部９６ｃと、前端部９６ａと後端部９６ｂとの間に延在する第２の側縁部９６ｄと、上面９６ｅと、下面９６ｆとを有する。一実施形態において、側縁部９６ｃ、９６ｄは、互いに平行である。
【００３４】
スペーサー部材９６は、締結具１０６、接着剤、又は他の好適な手段等の好適な手段によってロッド９４に取り付けられる。
【００３５】
一実施形態において、スペーサー部材９６は、上側エアフォイル７８がスペーサー部材９６に対して摺動することができるように、上側エアフォイル７８の第２の壁８８に取り付けられる。一実施形態において、第２の壁８８の下面８８ｆの一部は、スペーサー部材９８の上面９８ｅの一部に当接する。図示のように、スペーサー部材９６には、締結具１０８が取り付けられ、上側エアフォイル７８の第２の壁８８は、前端部８８ａと後端部８８ｂとの間で第２の壁８８の一部に沿って上面８８ｅから下面８８ｆまで延在する細長いスロット１１０を有する。締結具１０８は、スロット１１０内に嵌まり、スロット１１０の長さに沿って動かすことができる。締結具１０８は、拡大頭部１１２を有し、そこからシャフト１１４が延在する。シャフト１１４は、スロット１１０を貫通する。ナット１１６は、シャフト１１４の端部に螺合し、第２の壁８８の上面８８ｅに当接することができる。ナット１１６を緩めると、上側エアフォイル７８は、ロッド９４に対して、ひいてはベースキャビネット２８の前壁２８に対して内方又は外方に動かすことができる。所望の位置に達すると、ナット１１６を係合させ、ロッド９４に対する上側エアフォイル７８の更なる動きを阻止する。締結具１０８はスペーサー部材９６に取り付けられるものとして記載され、スロット１１０は上側エアフォイル７８を通るものとして記載されているが、締結具１０８は、上側エアフォイル７８に取り付けてもよく、スロット１１０は、スペーサー部材９６を通るように設けてもよい。
【００３６】
一実施形態において、上側エアフォイル７８（縁部８８ｃから縁部８８ｄまで）は、スペーサー部材（縁部９６ｃから縁部９６ｄまで）の幅よりも広い。
【００３７】
図４Ｂに示されているように、各支持体１９２ａ、１９２ｂは、ロッド１９４が貫通する第１の通路２００が内部に延在する、本体１９８によって形成される。第２の通路２０２が本体１９８内に設けられ、第１の通路２００に交わる。一実施形態において、通路２０２は、通路２００に対して垂直である。
【００３８】
一実施形態において、ロッド１９４上にはノブ２０４が設けられており、ノブ２０４を操作者が把持して、ロッド１９４を支持体１９２ａ、１９６ｂに対して回転させることができる。一実施形態において、ノブ２０４は、ロッド１９４の少なくとも一端部に設けられる。
【００３９】
止めねじ等の締結具２１８が、各支持体１９２ａ、１９２ｂの第２の通路２０２に螺合する。締結具２１８の端部２１８ａは、締結具２１８の端部２１８ａがロッド１９４に当接することにより、ロッド１９４が支持体１９２ａ、１９２ｂに対して回転することを防ぐような第１の位置に配置することができ、また、締結具２１８の端部２１８ａがロッド１９４から離間することにより、ロッド１９４が支持体１９２ａ、１９２ｂに対して回転することができるような第２の位置に配置することができる。
【００４０】
図１０〜図１３に示されているように、スペーサー部材１９６は、前端部１９６ａと、後端部１９６ｂと、前端部１９６ａと後端部１９６ｂとの間に延在する第１の側縁部１９６ｃと、前端部１９６ａと後端部１９６ｂとの間に延在する第２の側縁部１９６ｄと、上面１９６ｅと、下面１９６ｆとを有する。一実施形態において、側縁部１９６ｃ、１９６ｄは、互いに平行である。
【００４１】
スペーサー部材１９６は、締結具２０６、接着剤、又は他の好適な手段等の好適な手段によってロッド１９４に取り付けられる。
【００４２】
一実施形態において、スペーサー部材１９６は、下側エアフォイル１７８がスペーサー部材１９６に対して摺動することができるように、下側エアフォイル１７８の第２の壁８８に取り付けられる。一実施形態において、第２の壁８８の下面８８ｆの一部は、スペーサー部材１９８の上面１９８ｅの一部に当接する。図示のように、スペーサー部材１９６には、締結具２０８が取り付けられ、下側エアフォイル１７８の第２の壁８８は、前端部８８ａと後端部８８ｂとの間で第２の壁８８の一部に沿って上面８８ｅから下面８８ｆまで延在する細長いスロット２１０を有する。締結具２０８は、スロット２１０内に嵌まり、スロット２１０の長さに沿って動かすことができる。締結具２０８は、拡大頭部２１２を有し、そこからシャフト２１４が延在する。シャフト２１４は、スロット２１０を貫通する。ナット２１６は、シャフト２１４の端部に螺合し、第２の壁８８の上面８８ｅに当接することができる。ナット２１６を緩めると、下側エアフォイル１７８は、ロッド１９４に対して、ひいてはベースキャビネット２８の前壁２８に対して内方又は外方に動かすことができる。所望の位置に達すると、ナット２１６を係合させ、ロッド１９４に対する下側エアフォイル１７８の更なる動きを阻止する。締結具２０８はスペーサー部材１９６に取り付けられるものとして記載され、スロット２１０は下側エアフォイル１７８を通るものとして記載されているが、締結具２０８は、下側エアフォイル１７８に取り付けてもよく、スロット２１０は、スペーサー部材１９６を通るように設けてもよい。
【００４３】
一実施形態において、下側エアフォイル１７８（縁部１８８ｃから縁部１８８ｄまで）は、スペーサー部材（縁部１１９６ｃから縁部１１９６ｄまで）の幅よりも広い。
【００４４】
エアフォイル７８、１７８の前端部８６ａ、１８６ａが互いに近接するが、ウェブ２２が間を通過するための通路を前端部８６ａ、１８６ａ間に形成するように僅かに離間するように、エアフォイル７８、１７８をベースキャビネット２６に対して回転させることができる。通路は、ウェブ２２の厚さよりも僅かに大きい。
【００４５】
ロッド９４、１９４は、適切な締結具１１８、２１８を緩めて、ノブ１０４、２０４を回転させることによって、支持体９４ａ、９４ｂ、１９４ａ、１９４ｂに対して手動で回転することができる。単数又は複数のロッド９４、１９４を単数又は複数の新たな位置に取り付けるために、締結具（複数の場合もある）１１８、２１８をロッド（複数の場合もある）９４、１９４に当接するように締める。
【００４６】
一実施形態において、ロッド９４、１９４は、モーター１２０、２２０の制御下で回転する。図１４を参照されたい。モーター１２０、２２０は、それぞれのロッド９４、１９４に取り付けられ、使用者の制御下でそれぞれのロッド９４、１９４を新たな所望の位置に回転させる。
【００４７】
使用時、カバー３０が開放され、上側エアフォイル７８及び下側エアフォイル１７８の一方又は双方は、前端部８６ａ、１８６ａが離間するように回転される。ウェブ２２は、エアフォイル７８、１７８間を通り、下側ニップローラー４４を越えて、ベースキャビネット２６の内部キャビティ４２内への経路を辿る。その後、カバー３０が閉鎖され、ニップローラー４４、７６間にニップ７５が形成されるとともに、キャビネット２６内に制御された内部環境チャンバー７９が形成される。エアフォイル７８、１７８の一方又は双方は、エアフォイルの前端部８６ａ、１８６ａがウェブ２２から僅かに離間するが、ウェブ２２に接触しないような位置に回転される。
【００４８】
ウェブ２２は、ウェブ２２の上面２２ａが上側エアフォイル７８の下面８６ｆ、８８ｆに近接するとともに、ウェブの下面２２ｂが下側エアフォイル１７８の上面１８６ｅ、１８８ｅに近接するように、エアフォイル７８、１７８間を通過し、ニップローラー４４、７６間のニップ７５を通って、システム２４による処理を行う制御された内部環境チャンバー７９内に入る。エアフォイル７８、１７８の前端部８６ａ、１８６ａは、ウェブ２２の厚さよりも僅かに大きな距離だけ互いに離間し、そのため、エアフォイル７８、１７８は、ウェブ２２に接触しない。一実施形態において、各前端部８６ａ、１８６ａは、ウェブ２２から約１／１６インチ離れている。高速のウェブ２２がエアフォイル７８、１７８間を通過する際、ウェブ２２の表面２２ａ、２２ｂにおける同伴空気が、エアフォイル７８、１７８に当たってエアフォイル７８、１７８によって逸らされ、ニップローラー４４、７６間のニップ７５を通過して制御された内部環境チャンバー７９内に入ることがないように、同伴空気の進入が最小限に抑えられる。同伴空気が上側エアフォイル７８に当たると、同伴空気は、第１の壁８６の上面８６ｅに沿って流れ、第２の壁８８の上面８８ｅに沿って流れ、そして、第３の壁９０の前面９０ａに衝突する。そこで、空気は、上側エアフォイル７８から外方に、ニップローラー４４、７６間のニップ７５から離れるように逸らされる。これにより、この同伴空気がニップローラー４４、７６間のニップ７５内及び制御された内部環境チャンバー７９内に入ることを実質的に防ぐ。同伴空気が下側エアフォイル１７８に当たると、同伴空気は、第１の壁１８６の下面１８６ｆに沿って流れ、第２の壁１８８の下面１８８ｆに沿って流れ、そして、第３の壁１９０の前面１９０ａに衝突する。そこで、空気は、下側エアフォイル１７８から外方に、ニップローラー４４、７６間のニップ７５から離れるように逸らされる。これにより、この同伴空気がニップローラー４４、７６間のニップ７５内及び制御された内部環境チャンバー７９内に入ることを実質的に防ぐ。
【００４９】
ウェブ２２は、可撓性であるため、ウェブ２２が伸びたり、はためいたりする場合がある。動作中、エアフォイル７８、１７８の位置は、この伸び又ははためきに合わせて調整されるように、手動制御又はモーター１２０、２２０の使用によって再調整することができる。
【００５０】
一例において、システム２４は、ウェブ２２の表面を改質することで、インク及び接着剤を受け付ける能力を向上させるのに用いるコロナ処理システムである。コロナ処理システムは、印刷機（図示せず）と併せて使用されるように適合することができる。コロナ処理システムにおいて、図３に示されているように、高圧電極４６及び円筒形接地ローラー４８が、ベースキャビネット２６の内部キャビティ４２内に取り付けられる。複数のアイドラーローラー（図示せず）が、ウェブ２２がニップローラー４４、７６間から電極４６と接地ローラー４８との間の経路を辿るように、ベースキャビネット２６内に設けられる。電極４６は、複数の平行電極とすることができる。電極４６は、当該技術分野において既知のように、セラミック電極、ＦＩＮ電極、分割電極とすることができる。電極支持管５０が、側壁３４、３６間に取り付けられ、電極マガジン５２が、電極支持管５０に取り付けられて、高圧電極４６を支持する。電極マガジン５２は、電極支持管５０に接続された一対のシールド５４（そのうちの一方のみが示されている）と、シールド５４間に電極４６を支持する支持管５６とを備える。このように、シールド５４は、既知の方法で、電極支持管５０を通して排気されるオゾンを導くのを補助する。接地ローラー４８は、側壁３４、３６間に取り付けられたシャフト５８上で回転可能であり、電極支持管５０の下の電極４６の下に、電極４６から離間した関係で位置する。コロナ処理システムにおいて用いられる接地ローラーは、従来技術において既知である。接地ローラー４８は、鋼、セラミック、ゴム等から形成される表面４８ａを有することができる。接地ローラー４８は、ガラス繊維強化エポキシ樹脂又はガラス繊維強化ポリマーポリエステル等の剛性誘電性材料製の自己支持管から形成することができる。導電層は、接地ローラー４８の内壁部分に接合することができる。導電層は、グラファイト等の導体を含む比較的薄い導電性金属フィルム又はコーティングである。導電層は、比較的薄く、ローラーの内壁部分によって支持されることから、自己支持性である必要はない。電極４６は、接地ローラー４８の長さに及ぶことができる。接地ローラー４８及び電極４６は、互いに１．５ｍｍ離間して、ウェブ２２が通る経路となる空隙を形成することができる。ベースキャビネット２６は、図１では側壁３２として示される側壁のうちの一方に取り付けられる電源ハウジング６０を更に備える。電源ハウジング６０は、コントロールパネル６２を備え、コロナ処理システムを動作させる制御部を備える。電源ハウジング６０はまた、電源と、高圧線が設けられた高圧トランスとを備える。この高圧線は、通常、側壁３４の後ろに位置する高電圧カバープレートによって包囲される高電圧接続部において終端する。高電圧接続部は、電極４６と接地ローラー４８との間に処理されるウェブ２２を挟んだ状態で、電極４６と接地ローラー４８との間に高圧電界を確立する。よく知られているように、高圧電界は、コロナ放電を確立して、ウェブ２２の材料の化学組成に改質をもたらし、それにより、ウェブ２２の材料の濡れ性等の選択された性質が向上し、ウェブ材料に印刷物質又はコーティングがより有利に付着することができるようになる。制御された内部環境チャンバー７９内で、ウェブ２２は、アイドラーローラー（図示せず）によって導かれ、それにより、ウェブ２２は、電極４６から離間した関係で接地ローラー４８に巻き付けられる。接地ローラー４８は、ウェブ２２を支持し、ウェブ２２は、電極４６の長手方向を横切る方向に接地ローラー４８と電極４６との間の空隙を通過する際に処理される。処理中、ウェブ２２は、接地ローラー４８と電極４６との間を通過し、その間、ウェブ２２の材料を改質するように材料が処理される。電源によって電極４６に通電し、高電圧をもたらすと、空隙内にコロナ放電が発生する。空隙を通過するウェブ２２の表面は、コロナに曝露されることによって改質され、それにより、ウェブ２２の表面の印刷特性が向上する。
【００５１】
要約書は、読み手が、技術的な開示内容の本質を素早く確認することができるように設けられている。要約書は、特許請求の範囲の範囲又は意味を解釈又は限定するのに用いるものではないという理解のもとで提示されている。さらに、上記の詳細な記載では、本開示を合理的にするために種々の実施形態において種々の特徴がグループ化されていることを見て取ることができる。本開示のこの方法は、特許請求される実施形態が、各請求項に明示的に記載されるよりも多くの特徴を必要とするという意図を示すものとして解釈すべきではない。むしろ、添付の特許請求の範囲が示すように、発明の主題は、開示されている単一の実施形態の全ての特徴よりも少ない特徴において存在する。したがって、添付の特許請求の範囲は、本明細書において、各請求項が別個に特許請求されている主題として独立したものとして、詳細な記載に組み込まれる。
【００５２】
本発明の種々の実施形態を記載したが、他の実施形態及び実施態様が、本発明の範囲内において可能であることが当業者には明らかとなるであろう。したがって、本発明は、添付の特許請求の範囲及びその均等物に関するものを除いて制限されるべきではない。
【図１】
2020504789.tif 000003
【図２】
2020504789.tif 000004
【図３】
2020504789.tif 000005
【図４】
2020504789.tif 000006
【図４Ａ】
2020504789.tif 000007
【図４Ｂ】
2020504789.tif 000008
【図５】
2020504789.tif 000009
【図６】
2020504789.tif 000010
【図７】
2020504789.tif 000011
【図８】
2020504789.tif 000012
【図９】
2020504789.tif 000013
【図１０】
2020504789.tif 000014
【図１１】
2020504789.tif 000015
【図１２】
2020504789.tif 000016
【図１３】
2020504789.tif 000017
【図１４】
2020504789.tif 000018
【手続補正書】
【提出日】平成31年4月24日(2019.4.24)
【手続補正１】
【補正対象書類名】明細書
【補正対象項目名】全文
【補正方法】変更
【補正の内容】
【発明の詳細な説明】
【技術分野】
【０００１】
本発明は、包括的には、コロナ処理システム等の制御された内部環境を有するシステムに、システム内へのウェブの高速移動から生じるような同伴空気が入ることを最小限に抑えるエアフォイル装置に関する。
【背景技術】
【０００２】
コロナ処理とは、コロナ放電を用いてウェブの表面を改質することで、インク及び接着剤を受け付ける能力を向上させる方法である。コロナ処理システムにおいて、高圧電極が、接地電極を形成する接地ローラーに対して平行かつ離間して設けられる。電極と接地ローラーとの間の空隙にエネルギーを与えると、コロナが形成され、このコロナは、ウェブが通過する際に、ウェブを形成している材料を改質し、ウェブのインク及び接着剤に対する受容性を高める。コロナは、空気が存在するこの空隙内のいずれの場所にも発生する。
【０００３】
ウェブは、高速で移動する。ウェブがコロナ処理システムに入る際、ウェブは、一対のニップローラーを通過し、また、一対の補助ニップローラーを通過する場合もある。ウェブは、アイドラーローラーの周りの経路を辿り、次いで、電極と接地ローラーとの間の空隙を通る。ウェブが処理された後、ウェブは、コロナ処理システムを出る。
【０００４】
コロナ処理システム内の空気は、空隙内でのより良好な反応をもたらすために、不活性状態に保たれることが望ましい。ウェブが高速で移動する場合、ウェブは、周囲雰囲気中の空気を同伴し、ニップローラーを通ってコロナ処理システムに入る。空気は、コロナ処理システム内に充満する傾向を有し、それにより、コロナ処理システム内で望ましくない反応をもたらし得る。
【発明の概要】
【０００５】
１つの態様において、コロナ処理システム等の制御された内部環境を有するシステムに、システム内へのウェブの高速移動から生じるような同伴空気が入ることを最小限に抑えるエアフォイル装置が提供される。
【０００６】
本開示の別の態様によれば、エアフォイル装置は、エアフォイル装置をウェブの変化に合わせて調整することができるように、システムに対して回転可能である。
【０００７】
本発明の範囲は、添付の特許請求の範囲によってのみ規定され、この概要内の記載によって影響を受けない。
【０００８】
本発明は、添付図面及び以下の記載を参照してよりよく理解することができる。図における構成要素は、必ずしも縮尺どおりではなく、本発明の原理を説明するために、代わって誇張されている。
【図面の簡単な説明】
【０００９】
【図１】システムのカバーが開放位置で示されている、制御された内部環境を有するシステム及び本開示の特徴を組み込んでいるエアフォイル装置の斜視図である。
【図２】システムのカバーが閉鎖位置で示されている、システム及びエアフォイル装置の拡大斜視図である。
【図３】一例のシステムの動作コンポーネントのうちのいくつかの斜視図である。
【図４】システムのカバーが閉鎖位置で示され、エアフォイル装置が第１の向きで示されている、システム及びエアフォイル装置の部分側面図である。
【図４Ａ】図４の線４Ａ−４Ａに沿った断面図を示す図である。
【図４Ｂ】図４の線４Ｂ−４Ｂに沿った断面図である。
【図５】システムのカバーが閉鎖位置で示され、エアフォイル装置が第２の向きで示されている、システム及びエアフォイル装置の部分側面図である。
【図６】エアフォイル装置の上側エアフォイルの上面図である。
【図７】上側エアフォイルの底面図である。
【図８】上側エアフォイルの側面図である。
【図９】図６の線９−９に沿った断面図である。
【図１０】エアフォイル装置の下側エアフォイルの上面図である。
【図１１】下側エアフォイルの底面図である。
【図１２】下側エアフォイルの側面図である。
【図１３】図１０の線１３−１３に沿った断面図である。
【図１４】システム及び改変されたエアフォイル装置の拡大斜視図である。
【発明を実施するための形態】
【００１０】
本発明は様々な形態の実施形態に適用可能とすることができるが、具体的な実施形態が図面に示されているとともに、本明細書において詳細に記載される。ここでは、本開示は、本発明の原理の例示とみなされるべきであり、本発明を本明細書に説明及び記載されるものに限定することは意図していないことが理解される。したがって、別段記載されない限り、本明細書に開示の特徴は、簡略化のため別段示されていない更なる組合せを形成するために組み合わせることができる。
【００１１】
コロナ処理システム等の制御された内部環境を有するシステム２４内への可撓性ウェブ２２の高速移動から生じる、同伴された周囲空気の進入を最小限に抑えるエアフォイル装置２０が提供される。エアフォイル装置２０は、システム２４内へのウェブ２２の高速移動によって形成される同伴空気の空気流を乱し、同伴空気がシステム２４内に入らないように逸らす又は実質的に逸らす。
【００１２】
ウェブ２２は、上面２２ａと、下面２２ｂと、対向する側縁部２２ｃ、２２ｄとを有する。ウェブ２２の厚さは、上面２２ａと下面２２ｂとの間に規定される。システム２４によって処理することができるウェブ２２の例として、限定はしないが、紙、ポリマーフィルム、エラストマー、プラスチック、発泡材等が挙げられる。
【００１３】
システム２４は、可動式カバー３０が取り付けられたベースキャビネット２８によって形成されるキャビネット２６を備える。
【００１４】
ベースキャビネット２８は、第１の側壁３４と、第１の側壁３４に対して平行な関係の第２の側壁３６と、前壁３８と、前壁３８に対して平行な関係の後壁４０とを備える。前壁３８及び後壁４０は、側壁３４、３６間に延在し、底壁４１が、壁３４、３６、３８、４０の底端部を閉鎖している。内部キャビティ４２がベースキャビネット２８内に画定される。キャビティ４２の頂端部は開放している。
【００１５】
ベースキャビネット２８は、側壁３４、３６間のシャフト（図示せず）上で回転するように取り付けられ、前壁３８の上方に配置された下側ニップローラー４４を支持する。一対の補助ニップローラー（図示せず）が、側壁３４、３６間の頂端部において設けられる場合がある。一対の補助ニップローラーは、下側ニップローラー４４から離間される。
【００１６】
カバー３０は、第１の側壁６４と、第１の側壁６４に対して平行な関係の第２の側壁６６と、前壁６８と、前壁６８に対して平行な関係の後壁７０とを備える。前壁６８及び後壁７０は、側壁６４、６６間に延在し、頂壁７２は、壁６４、６６、６８、７０の上端部を閉鎖している。カバー３０は、当該技術分野では既知の好適なリフト装置７４を介してベースキャビネット２８に取り付けられ、カバー３０をベースキャビネット２８に対して昇降させ、キャビティ４２を露出又は被覆することができるようになっている。カバー３０は、側壁６４、６６間のシャフト７７上で回転するように取り付けられ、前壁６８の下に配置された上側ニップローラー７６を支持する。
【００１７】
カバー３０が開放しているとき、下側ニップローラー４４及び上側ニップローラー７６は、互いに分離しており、キャビティ４２は開放している。カバー３０が閉鎖しているとき、ニップローラー４４、７６は、互いに密接し、それにより、ニップローラー４４、７６間にニップ７５が形成される。ウェブ２２がシステム２４に入る際、ウェブ２２は、ニップ７５を通過する。内部雰囲気を有する制御された内部環境チャンバー７９は、カバー３０が閉鎖されるとキャビネット２６内において不活性化することができる。内部環境チャンバー７９内の空気は、ウェブ２２の処理特性を向上するために不活性状態に保たれる。
【００１８】
エアフォイル装置２０は、ベースキャビネット２８における上側マウント８０に取り付けられる上側エアフォイル７８と、ベースキャビネット２８における下側マウント１８０に取り付けられる下側エアフォイル１７８とを備える。上側エアフォイル７８及び下側エアフォイル１７８は、ベースキャビネット２８から片持ちされている。カバー３０が閉鎖されると、上側エアフォイル７８は、上側ニップローラー７６の近位に位置する。下側エアフォイル１７８は、下側ニップローラー４４の近位に位置する。使用時、エアフォイル７８、１７８の前端部８６ａ、１８６ａは、互いに近接するが、ウェブ２２が間を通過するための通路を形成するように僅かに離間する。通路は、ウェブ２２の厚さよりも僅かに大きい。一実施形態において、上側エアフォイル７８及び下側エアフォイル１７８のうちの少なくとも一方が、本明細書に記載のベースキャビネット２８に対して回転可能である。一実施形態において、上側マウント８０及び上側エアフォイル７８は、カバー３０に設けられ、カバー３０とともに可動である。
【００１９】
図６〜図９に示されているように、上側エアフォイル７８は、第１の壁８６と、平坦な第２の壁８８と、第３の壁９０とを備える。壁８６、８８、９０は、一体的に形成することができる。
【００２０】
第１の壁８６は、前端部８６ａと、後端部８６ｂと、前端部８６ａと後端部８６ｂとの間に延在する第１の側縁部８６ｃと、前端部８６ａと後端部８６ｂとの間に延在する第２の側縁部８６ｄと、上面８６ｅと、下面８６ｆとを有する。一実施形態において、側縁部８６ｃ、８６ｄは、互いに平行である。上面８６ｅは、平坦である。前端部８６ａは、テーパーを付けることができる（図示せず）。
【００２１】
第２の壁８８は、前端部８８ａと、後端部８８ｂと、前端部８８ａと後端部８８ｂとの間に延在する第１の側縁部８８ｃと、前端部８８ａと後端部８８ｂとの間に延在する第２の側縁部８８ｄと、上面８８ｅと、下面８８ｆとを有する。一実施形態において、側縁部８８ｃ、８８ｄは、互いに平行である。上面８８ｅ及び下面８８ｆは、平坦である。第２の壁８８の前端部８８ａは、第１の壁８６の後端部８６ｂから延在する。一実施形態において、第２の壁８８は、第１の壁８６に対して下方に角度αで傾斜している。図８を参照されたい。また、一実施形態において、角度αは、９０度〜１８０度の範囲である。一実施形態において、角度αは、１３０度である。一実施形態において、角度αは、１８０度であり、第１の壁８６及び第２の壁８８が連続した直線的な表面を形成するようになっている。
【００２２】
第３の壁９０は、底端部９０ａと、頂端部９０ｂと、底端部９０ａと頂端部９０ｂとの間に延在する第１の側縁部９０ｃと、底端部９０ａと頂端部９０ｂとの間に延在する第２の側縁部９０ｄと、前面９０ｅと、後面９０ｆとを有する。一実施形態において、側縁部９０ｃ、９０ｄは、互いに平行である。一実施形態において、前面９０ｅは、平坦である。第３の壁９０の底端部９０ａは、第２の壁８８の上面８８ｅから延在する。一実施形態において、第３の壁９０は、第２の壁８８の後端部８８ｂの近位に位置する。第３の壁９０は、第２の壁８８に対して角度βで傾斜している。図８を参照されたい。また、一実施形態において、角度βは、９０度〜１８０度の範囲である。一実施形態において、角度βは、９０度であり、そのため、第３の壁９０は、第２の壁８８に対して垂直になる。
【００２３】
第１の壁８６及び第３の壁９０は、第２の壁８８から互いに反対方向に延在する。
【００２４】
図１０〜図１３に示されているように、下側エアフォイル１７８は、第１の壁１８６と、平坦な第２の壁１８８と、第３の壁１９０とを備える。壁１８６、１８８、１９０は、一体的に形成することができる。
【００２５】
第１の壁１８６は、前端部１８６ａと、後端部１８６ｂと、前端部１８６ａと後端部１８６ｂとの間に延在する第１の側縁部１８６ｃと、前端部１８６ａと後端部１８６ｂとの間に延在する第２の側縁部１８６ｄと、上面１８６ｅと、下面１８６ｆとを有する。一実施形態において、側縁部１８６ｃ、１８６ｄは、互いに平行である。下面１８６ｆは、平坦である。前端部１８６ａは、テーパーを付けることができる（図示せず）。
【００２６】
第２の壁１８８は、前端部１８８ａと、後端部１８８ｂと、前端部１８８ａと後端部１８８ｂとの間に延在する第１の側縁部１８８ｃと、前端部１８８ａと後端部１８８ｂとの間に延在する第２の側縁部１８８ｄと、上面１８８ｅと、下面１８８ｆとを有する。一実施形態において、側縁部１８８ｃ、１８８ｄは、互いに平行である。上面１８８ｅ及び下面１８８ｆは、平坦である。第２の壁１８８の前端部１８８ａは、第１の壁１８６の後端部１８６ｂから延在する。第２の壁１８８は、第１の壁１８６に対して上方に角度γで傾斜している。図１２を参照されたい。また、一実施形態において、角度γは、９０度〜１８０度の範囲である。一実施形態において、角度γは、１３０度である。一実施形態において、角度γは、１８０度であり、第１の壁８６及び第２の壁８８が連続した直線的な表面を形成するようになっている。
【００２７】
第３の壁１９０は、底端部１９０ａと、頂端部１９０ｂと、底端部１９０ａと頂端部１９０ｂとの間に延在する第１の側縁部１９０ｃと、底端部１９０ａと頂端部１９０ｂとの間に延在する第２の側縁部１９０ｄと、前面１９０ｅと、後面１９０ｆとを有する。一実施形態において、側縁部１９０ｃ、１９０ｄは、互いに平行である。一実施形態において、前面１９０ｅは、平坦である。第３の壁１９０の頂端部１９０ｂは、第２の壁１８８の下面１８８ｆから延在する。一実施形態において、第３の壁１９０は、第２の壁１８８の後端部１８８ｂの近位に位置する。第３の壁１９０は、第２の壁１８８に対して角度Φで傾斜している。図１２を参照されたい。また、一実施形態において、角度Φは、９０度〜１８０度の範囲である。一実施形態において、角度Φは、９０度であり、そのため、第３の壁１９０は、第２の壁１８８に対して垂直になる。
【００２８】
第１の壁１８６及び第３の壁１９０は、第２の壁１８８から互いに反対方向に延在する。
【００２９】
一実施形態において、マウント８０、１８０は、ベースキャビネット２８に対するエアフォイル７８、１７８の回転可能な取付けをもたらす。この実施形態では、上側マウント８０は、ベースキャビネット２８に固定的に取り付けられた一対の離間した支持体９２ａ、９２ｂと、支持体９２ａ、９２ｂに回転可能に取り付けられた円筒形ロッド９４と、ロッド９４及び上側エアフォイル７８に固定的に取り付けられたスペーサー部材９６とを備える。下側マウント１８０は、ベースキャビネット２８に固定的に取り付けられた一対の離間した支持体１９２ａ、１９２ｂと、支持体１９２ａ、１９２ｂに回転可能に取り付けられた円筒形ロッド１９４と、ロッド１９４及び下側エアフォイル１７８に固定的に取り付けられたスペーサー部材１９６とを備える。上側支持体９２ａ、９２ｂは、ベースキャビネット２８の前壁３８において、下側支持体１９２ａ、１９２ｂと鉛直方向に位置合わせすることができる。一実施形態において、カバー３０が閉鎖されると、上側ロッド９４は、上側ニップローラー７６の近位に位置する。一実施形態において、カバー３０が閉鎖されると、上側ロッド９４は、上側ニップローラー７６の上方に位置する。一実施形態において、下側ロッド１９４は、下側ニップローラー４４の近位に位置する。一実施形態において、下側ロッド１９４は、下側ニップローラー４４の下方に位置する。ロッド９４、１９４は、ベースキャビネット２８の前壁３８に対して平行に延在する。
【００３０】
図４Ａに示されているように、各支持体９２ａ、９２ｂは、ロッド９４が貫通する第１の通路１００が内部に延在する、本体９８によって形成される。第２の通路１０２が本体９８内に設けられ、第１の通路１００に交わる。一実施形態において、通路１０２は、通路１００に対して垂直である。
【００３１】
一実施形態において、ロッド９４上にはノブ１０４が設けられており、ノブ１０４を操作者が把持して、ロッド９４を支持体９２ａ、９２ｂに対して回転させることができる。一実施形態において、ノブ１０４は、ロッド９４の少なくとも一端部に設けられる。
【００３２】
止めねじ等の締結具１１８が、各支持体９２ａ、９２ｂの第２の通路１０２内に螺合する。締結具１１８の端部１１８ａは、締結具１１８の端部１１８ａがロッド９４に当接することにより、ロッド９４が支持体９２ａ、９２ｂに対して回転することを防ぐような第１の位置に配置することができ、また、締結具１１８の端部１１８ａがロッド９４から離間することにより、ロッド９４が支持体９２ａ、９２ｂに対して回転することができるような第２の位置に配置することができる。
【００３３】
図６〜図９に示されているように、スペーサー部材９６は、前端部９６ａと、後端部９６ｂと、前端部９６ａと後端部９６ｂとの間に延在する第１の側縁部９６ｃと、前端部９６ａと後端部９６ｂとの間に延在する第２の側縁部９６ｄと、上面９６ｅと、下面９６ｆとを有する。一実施形態において、側縁部９６ｃ、９６ｄは、互いに平行である。
【００３４】
スペーサー部材９６は、締結具１０６、接着剤、又は他の好適な手段等の好適な手段によってロッド９４に取り付けられる。
【００３５】
一実施形態において、スペーサー部材９６は、上側エアフォイル７８がスペーサー部材９６に対して摺動することができるように、上側エアフォイル７８の第２の壁８８に取り付けられる。一実施形態において、第２の壁８８の下面８８ｆの一部は、スペーサー部材９６の上面９６ｅの一部に当接する。図示のように、スペーサー部材９６には、締結具１０８が取り付けられ、上側エアフォイル７８の第２の壁８８は、前端部８８ａと後端部８８ｂとの間で第２の壁８８の一部に沿って上面８８ｅから下面８８ｆまで延在する細長いスロット１１０を有する。締結具１０８は、スロット１１０内に嵌まり、スロット１１０の長さに沿って動かすことができる。締結具１０８は、拡大頭部１１２を有し、そこからシャフト１１４が延在する。シャフト１１４は、スロット１１０を貫通する。ナット１１６は、シャフト１１４の端部に螺合し、第２の壁８８の上面８８ｅに当接することができる。ナット１１６を緩めると、上側エアフォイル７８は、ロッド９４に対して、ひいてはベースキャビネット２８の前壁３８に対して内方又は外方に動かすことができる。所望の位置に達すると、ナット１１６を係合させ、ロッド９４に対する上側エアフォイル７８の更なる動きを阻止する。締結具１０８はスペーサー部材９６に取り付けられるものとして記載され、スロット１１０は上側エアフォイル７８を通るものとして記載されているが、締結具１０８は、上側エアフォイル７８に取り付けてもよく、スロット１１０は、スペーサー部材９６を通るように設けてもよい。
【００３６】
一実施形態において、上側エアフォイル７８（縁部８８ｃから縁部８８ｄまで）は、スペーサー部材（縁部９６ｃから縁部９６ｄまで）の幅よりも広い。
【００３７】
図４Ｂに示されているように、各支持体１９２ａ、１９２ｂは、ロッド１９４が貫通する第１の通路２００が内部に延在する、本体１９８によって形成される。第２の通路２０２が本体１９８内に設けられ、第１の通路２００に交わる。一実施形態において、通路２０２は、通路２００に対して垂直である。
【００３８】
一実施形態において、ロッド１９４上にはノブ２０４が設けられており、ノブ２０４を操作者が把持して、ロッド１９４を支持体１９２ａ、１９２ｂに対して回転させることができる。一実施形態において、ノブ２０４は、ロッド１９４の少なくとも一端部に設けられる。
【００３９】
止めねじ等の締結具２１８が、各支持体１９２ａ、１９２ｂの第２の通路２０２に螺合する。締結具２１８の端部２１８ａは、締結具２１８の端部２１８ａがロッド１９４に当接することにより、ロッド１９４が支持体１９２ａ、１９２ｂに対して回転することを防ぐような第１の位置に配置することができ、また、締結具２１８の端部２１８ａがロッド１９４から離間することにより、ロッド１９４が支持体１９２ａ、１９２ｂに対して回転することができるような第２の位置に配置することができる。
【００４０】
図１０〜図１３に示されているように、スペーサー部材１９６は、前端部１９６ａと、後端部１９６ｂと、前端部１９６ａと後端部１９６ｂとの間に延在する第１の側縁部１９６ｃと、前端部１９６ａと後端部１９６ｂとの間に延在する第２の側縁部１９６ｄと、上面１９６ｅと、下面１９６ｆとを有する。一実施形態において、側縁部１９６ｃ、１９６ｄは、互いに平行である。
【００４１】
スペーサー部材１９６は、締結具２０６、接着剤、又は他の好適な手段等の好適な手段によってロッド１９４に取り付けられる。
【００４２】
一実施形態において、スペーサー部材１９６は、下側エアフォイル１７８がスペーサー部材１９６に対して摺動することができるように、下側エアフォイル１７８の第２の壁８８に取り付けられる。一実施形態において、第２の壁８８の下面８８ｆの一部は、スペーサー部材１９６の上面１９６ｅの一部に当接する。図示のように、スペーサー部材１９６には、締結具２０８が取り付けられ、下側エアフォイル１７８の第２の壁８８は、前端部８８ａと後端部８８ｂとの間で第２の壁８８の一部に沿って上面８８ｅから下面８８ｆまで延在する細長いスロット２１０を有する。締結具２０８は、スロット２１０内に嵌まり、スロット２１０の長さに沿って動かすことができる。締結具２０８は、拡大頭部２１２を有し、そこからシャフト２１４が延在する。シャフト２１４は、スロット２１０を貫通する。ナット２１６は、シャフト２１４の端部に螺合し、第２の壁８８の上面８８ｅに当接することができる。ナット２１６を緩めると、下側エアフォイル１７８は、ロッド１９４に対して、ひいてはベースキャビネット２８の前壁３８に対して内方又は外方に動かすことができる。所望の位置に達すると、ナット２１６を係合させ、ロッド１９４に対する下側エアフォイル１７８の更なる動きを阻止する。締結具２０８はスペーサー部材１９６に取り付けられるものとして記載され、スロット２１０は下側エアフォイル１７８を通るものとして記載されているが、締結具２０８は、下側エアフォイル１７８に取り付けてもよく、スロット２１０は、スペーサー部材１９６を通るように設けてもよい。
【００４３】
一実施形態において、下側エアフォイル１７８（縁部１８８ｃから縁部１８８ｄまで）は、スペーサー部材（縁部１１９６ｃから縁部１１９６ｄまで）の幅よりも広い。
【００４４】
エアフォイル７８、１７８の前端部８６ａ、１８６ａが互いに近接するが、ウェブ２２が間を通過するための通路を前端部８６ａ、１８６ａ間に形成するように僅かに離間するように、エアフォイル７８、１７８をキャビネット２６に対して回転させることができる。通路は、ウェブ２２の厚さよりも僅かに大きい。
【００４５】
ロッド９４、１９４は、適切な締結具１１８、２１８を緩めて、ノブ１０４、２０４を回転させることによって、支持体９２ａ、９２ｂ、１９２ａ、１９２ｂに対して手動で回転することができる。単数又は複数のロッド９４、１９４を単数又は複数の新たな位置に取り付けるために、締結具（複数の場合もある）１１８、２１８をロッド（複数の場合もある）９４、１９４に当接するように締める。
【００４６】
一実施形態において、ロッド９４、１９４は、モーター１２０、２２０の制御下で回転する。図１４を参照されたい。モーター１２０、２２０は、それぞれのロッド９４、１９４に取り付けられ、使用者の制御下でそれぞれのロッド９４、１９４を新たな所望の位置に回転させる。
【００４７】
使用時、カバー３０が開放され、上側エアフォイル７８及び下側エアフォイル１７８の一方又は双方は、前端部８６ａ、１８６ａが離間するように回転される。ウェブ２２は、エアフォイル７８、１７８間を通り、下側ニップローラー４４を越えて、キャビネット２６の内部キャビティ４２内への経路を辿る。その後、カバー３０が閉鎖され、ニップローラー４４、７６間にニップ７５が形成されるとともに、キャビネット２６内に制御された内部環境チャンバー７９が形成される。エアフォイル７８、１７８の一方又は双方は、エアフォイルの前端部８６ａ、１８６ａがウェブ２２から僅かに離間するが、ウェブ２２に接触しないような位置に回転される。
【００４８】
ウェブ２２は、ウェブ２２の上面２２ａが上側エアフォイル７８の下面８６ｆ、８８ｆに近接するとともに、ウェブの下面２２ｂが下側エアフォイル１７８の上面１８６ｅ、１８８ｅに近接するように、エアフォイル７８、１７８間を通過し、ニップローラー４４、７６間のニップ７５を通って、システム２４による処理を行う制御された内部環境チャンバー７９内に入る。エアフォイル７８、１７８の前端部８６ａ、１８６ａは、ウェブ２２の厚さよりも僅かに大きな距離だけ互いに離間し、そのため、エアフォイル７８、１７８は、ウェブ２２に接触しない。一実施形態において、各前端部８６ａ、１８６ａは、ウェブ２２から約１／１６インチ離れている。高速のウェブ２２がエアフォイル７８、１７８間を通過する際、ウェブ２２の表面２２ａ、２２ｂにおける同伴空気が、エアフォイル７８、１７８に当たってエアフォイル７８、１７８によって逸らされ、ニップローラー４４、７６間のニップ７５を通過して制御された内部環境チャンバー７９内に入ることがないように、同伴空気の進入が最小限に抑えられる。同伴空気が上側エアフォイル７８に当たると、同伴空気は、第１の壁８６の上面８６ｅに沿って流れ、第２の壁８８の上面８８ｅに沿って流れ、そして、第３の壁９０の前面９０ｅに衝突する。そこで、空気は、上側エアフォイル７８から外方に、ニップローラー４４、７６間のニップ７５から離れるように逸らされる。これにより、この同伴空気がニップローラー４４、７６間のニップ７５内及び制御された内部環境チャンバー７９内に入ることを実質的に防ぐ。同伴空気が下側エアフォイル１７８に当たると、同伴空気は、第１の壁１８６の下面１８６ｆに沿って流れ、第２の壁１８８の下面１８８ｆに沿って流れ、そして、第３の壁１９０の前面１９０ｅに衝突する。そこで、空気は、下側エアフォイル１７８から外方に、ニップローラー４４、７６間のニップ７５から離れるように逸らされる。これにより、この同伴空気がニップローラー４４、７６間のニップ７５内及び制御された内部環境チャンバー７９内に入ることを実質的に防ぐ。
【００４９】
ウェブ２２は、可撓性であるため、ウェブ２２が伸びたり、はためいたりする場合がある。動作中、エアフォイル７８、１７８の位置は、この伸び又ははためきに合わせて調整されるように、手動制御又はモーター１２０、２２０の使用によって再調整することができる。
【００５０】
一例において、システム２４は、ウェブ２２の表面を改質することで、インク及び接着剤を受け付ける能力を向上させるのに用いるコロナ処理システムである。コロナ処理システムは、印刷機（図示せず）と併せて使用されるように適合することができる。コロナ処理システムにおいて、図３に示されているように、高圧電極４６及び円筒形接地ローラー４８が、キャビネット２６の内部キャビティ４２内に取り付けられる。複数のアイドラーローラー（図示せず）が、ウェブ２２がニップローラー４４、７６間から電極４６と接地ローラー４８との間の経路を辿るように、キャビネット２６内に設けられる。電極４６は、複数の平行電極とすることができる。電極４６は、当該技術分野において既知のように、セラミック電極、ＦＩＮ電極、分割電極とすることができる。電極支持管５０が、側壁３４、３６間に取り付けられ、電極マガジン５２が、電極支持管５０に取り付けられて、高圧電極４６を支持する。電極マガジン５２は、電極支持管５０に接続された一対のシールド５４（そのうちの一方のみが示されている）と、シールド５４間に電極４６を支持する支持管５６とを備える。このように、シールド５４は、既知の方法で、電極支持管５０を通して排気されるオゾンを導くのを補助する。接地ローラー４８は、側壁３４、３６間に取り付けられたシャフト５８上で回転可能であり、電極支持管５０の下の電極４６の下に、電極４６から離間した関係で位置する。コロナ処理システムにおいて用いられる接地ローラーは、従来技術において既知である。接地ローラー４８は、鋼、セラミック、ゴム等から形成される表面４８ａを有することができる。接地ローラー４８は、ガラス繊維強化エポキシ樹脂又はガラス繊維強化ポリマーポリエステル等の剛性誘電性材料製の自己支持管から形成することができる。導電層は、接地ローラー４８の内壁部分に接合することができる。導電層は、グラファイト等の導体を含む比較的薄い導電性金属フィルム又はコーティングである。導電層は、比較的薄く、ローラーの内壁部分によって支持されることから、自己支持性である必要はない。電極４６は、接地ローラー４８の長さに及ぶことができる。接地ローラー４８及び電極４６は、互いに１．５ｍｍ離間して、ウェブ２２が通る経路となる空隙を形成することができる。ベースキャビネット２８は、図１では側壁３２として示される側壁のうちの一方に取り付けられる電源ハウジング６０を更に備える。電源ハウジング６０は、コントロールパネル６２を備え、コロナ処理システムを動作させる制御部を備える。電源ハウジング６０はまた、電源と、高圧線が設けられた高圧トランスとを備える。この高圧線は、通常、側壁３４の後ろに位置する高電圧カバープレートによって包囲される高電圧接続部において終端する。高電圧接続部は、電極４６と接地ローラー４８との間に処理されるウェブ２２を挟んだ状態で、電極４６と接地ローラー４８との間に高圧電界を確立する。よく知られているように、高圧電界は、コロナ放電を確立して、ウェブ２２の材料の化学組成に改質をもたらし、それにより、ウェブ２２の材料の濡れ性等の選択された性質が向上し、ウェブ材料に印刷物質又はコーティングがより有利に付着することができるようになる。制御された内部環境チャンバー７９内で、ウェブ２２は、アイドラーローラー（図示せず）によって導かれ、それにより、ウェブ２２は、電極４６から離間した関係で接地ローラー４８に巻き付けられる。接地ローラー４８は、ウェブ２２を支持し、ウェブ２２は、電極４６の長手方向を横切る方向に接地ローラー４８と電極４６との間の空隙を通過する際に処理される。処理中、ウェブ２２は、接地ローラー４８と電極４６との間を通過し、その間、ウェブ２２の材料を改質するように材料が処理される。電源によって電極４６に通電し、高電圧をもたらすと、空隙内にコロナ放電が発生する。空隙を通過するウェブ２２の表面は、コロナに曝露されることによって改質され、それにより、ウェブ２２の表面の印刷特性が向上する。
【００５１】
要約書は、読み手が、技術的な開示内容の本質を素早く確認することができるように設けられている。要約書は、特許請求の範囲の範囲又は意味を解釈又は限定するのに用いるものではないという理解のもとで提示されている。さらに、上記の詳細な記載では、本開示を合理的にするために種々の実施形態において種々の特徴がグループ化されていることを見て取ることができる。本開示のこの方法は、特許請求される実施形態が、各請求項に明示的に記載されるよりも多くの特徴を必要とするという意図を示すものとして解釈すべきではない。むしろ、添付の特許請求の範囲が示すように、発明の主題は、開示されている単一の実施形態の全ての特徴よりも少ない特徴において存在する。したがって、添付の特許請求の範囲は、本明細書において、各請求項が別個に特許請求されている主題として独立したものとして、詳細な記載に組み込まれる。
【００５２】
本発明の種々の実施形態を記載したが、他の実施形態及び実施態様が、本発明の範囲内において可能であることが当業者には明らかとなるであろう。したがって、本発明は、添付の特許請求の範囲及びその均等物に関するものを除いて制限されるべきではない。
【手続補正２】
【補正対象書類名】図面
【補正対象項目名】図１
【補正方法】変更
【補正の内容】
【図１】
2020504789.tif 000019
【国際調査報告】
2020504789.tif 000020
2020504789.tif 000021